(57)【要約】【課題】中心軸穴持ち木質ロッド形状物を大量生産可能であり、且つ製品の品質の安定性が極めて高い製造方法を提供する。【解決手段】所定の長さと、所定の最小直径とを持つ木質素材を用意するステップａと、前記木質素材の長辺方向の一端から他端まで貫通し、所定の直径を持つ軸穴を開設するステップｂと、前記軸穴の中心軸を回転中心として回転して、前記木質素材の周面を所定の形状に加工するステップｃと、を含むことを特徴とする中心軸穴持ち木質ロッド形状物の製造方法。【選択図】図１
2008012284.tif 000002
【特許請求の範囲】
【請求項１】
所定の長さと、所定の最小直径とを持つ木質素材を用意するステップａと、
前記木質素材の長辺方向の一端から他端まで貫通し所定の直径を持つ軸穴を開設するステップｂと、
前記軸穴の中心を回転中心として回転し、前記木質素材の周面を所定の形状に加工するステップｃと、を含むことを特徴とする中心軸穴持ち木質ロッド形状物の製造方法。
【請求項２】
前記ステップａにおいて用意された木質素材の最小直径は、前記ステップｃにより加工されたロッド形状物の最大直径よりも大きいことを特徴とする請求項１に記載の中心軸穴持ち木質ロッド形状物の製造方法。
【請求項３】
前記ステップｂにおいて、前記軸穴の中心軸と、前記素材の長辺方向の中心軸とは、互いに平行しなく、又は同軸しなくてもいいことを特徴とする請求項１に記載の中心軸穴持ち木質ロッド形状物の製造方法。
【請求項４】
前記ステップｃにおいて、前記ロッド形状物は野球用棒の予定段の形状に加工されることを特徴とする請求項１に記載の中心軸穴持ち木質ロッド形状物の製造方法。
【請求項５】
前記ステップｃにおいて、前記ロッド形状物はビリヤード用シャフトの所定段の形状に加工されることを特徴とする請求項１に記載の中心軸穴持ち木質ロッド形状物の製造方法。
【請求項６】
前記ステップｃにおいて、前記ロッド形状物はビリヤード用シャフトの前段の形状に加工されることを特徴とする請求項５に記載の中心軸穴持ち木質ロッド形状物の製造方法。
【請求項７】
前記ステップｃにおいて、前記ロッド形状物はビリヤード用シャフトの後段の形状に加工されることを特徴とする請求項５に記載の中心軸穴持ち木質ロッド形状物の製造方法。
【請求項８】
前記軸穴の内部には補強材が設けてあることを特徴とする請求項１に記載の中心軸穴持ち木質ロッド形状物の製造方法。
【請求項９】
前記補強材は、管状を呈し、外径が前記軸穴の内径とほぼ一致であり、長さが前記軸穴よりも短かく、前記軸穴と同軸であるように前記軸穴の内部に設置されることを特徴とする請求項８に記載の中心軸穴持ち木質ロッド形状物の製造方法。
【請求項１０】
前記補強材は複合材料で作製された管体であることを特徴とする請求項９に記載の中心軸穴持ち木質ロッド形状物の製造方法。
【発明の詳細な説明】
【技術分野】
【０００１】
本発明は、木質ロッド形状物の加工方法に係り、特に、中心軸穴持ち木質ロッド形状物の製造方法に関するものである。
【背景技術】
【０００２】
出願者が提案した「ビリヤード用シャフト又は野球用棒などに適用可能な中心軸穴持ち木質ロッド形状物」は、木質の特性を持つと共に、強度を強化する目的を達成できる。すなわち、木質ロッド形状物の中心軸に、適当な深さを有し、又は貫通する軸穴を開設して、強度のより強い補強材（例えば、複合材料などの管体）を前記軸穴に設置する。補強材により木質ロッド形状物全体の強度が向上するので、この木質ロッド形状物を野球用バットに適用する場合には、木質の野球用バットの使用感覚を維持できると共に、ボールを打撃する瞬間に発生する衝撃力に耐えられる能力も向上する。また、この木質ロッド形状物をビリヤード用シャフトに適用する場合には、補強材によりビリヤード用シャフトの長辺方向の支持力を提供し、このような支持力により、一定ではない木目によるビリヤードの外周面の硬さのばらつきが原因でボールの打撃精度が低下することを回避できる。
【発明の開示】
【発明が解決しようとする課題】
【０００３】
しかしながら、上記のような構造は、木材の応用可能な範囲を大幅に増大でき、且つ実用性を向上可能であるが、このような中心軸穴持ち木質ロッド形状物を大量生産可能な製造方法は開発されていなかった。
【０００４】
本発明の目的は、中心軸穴持ち木質ロッド形状物を大量生産可能で、且つ製品の品質の安定性が極めて高い中心軸穴持ち木質ロッド形状物の製造方法を提供することにある。
【課題を解決するための手段】
【０００５】
上記目的を達成するためになされた本願の発明は、所定の長さと、所定の最小直径とを持つ木質素材を用意するステップａと、前記木質素材の長辺方向の一端から他端まで貫通し所定直径を持つ軸穴を開設するステップｂと、前記軸穴の中心軸を回転中心として回転して、前記木質素材の周面を所定形状に加工するステップｃと、を含むことを特徴とする中心軸穴持ち木質ロッド形状物の製造方法である。
【０００６】
本願の発明では、上記ステップａにおいて用意された木質素材の最小直径は、上記ステップｃにより加工されたロッド形状物の最大直径よりも大きいことを特徴とする請求項１に記載の中心軸穴持ち木質ロッド形状物の製造方法であることを要旨としている。
【０００７】
本願の発明では、上記ステップｂにおいて、前記軸穴の中心軸と、前記素材の長辺方向の中心軸とは、互いに平行しなく、又は同軸しなくてもいいことを特徴とする請求項１に記載の中心軸穴持ち木質ロッド形状物の製造方法であることを要旨としている。
【０００８】
本願の発明では、上記ステップｃにおいて、前記ロッド形状物は野球用バットの所定段の形状に加工されることを特徴とする請求項１に記載の中心軸穴持ち木質ロッド形状物の製造方法であることを要旨としている。
【０００９】
本願の発明では、上記ステップｃにおいて、前記ロッド形状物はビリヤード用シャフトの所定段の形状に加工されることを特徴とする請求項１に記載の中心軸穴持ち木質ロッド形状物の製造方法であることを要旨としている。
【００１０】
本願の発明では、上記ステップｃにおいて、前記ロッド形状物はビリヤード用シャフトの前段（shaft）の形状に加工されることを特徴とする請求項５に記載の中心軸穴持ち木質ロッド形状物の製造方法であることを要旨としている。
【００１１】
本願の発明では、上記ステップｃにおいて、前記ロッド形状物はビリヤード用シャフトの後段（butt）の形状に加工されることを特徴とする、請求項５に記載の中心軸穴持ち木質ロッド形状物の製造方法。
【００１２】
本願の発明では、更に、前記軸穴の内部には補強材が設けてあることを特徴とする請求項１に記載の中心軸穴持ち木質ロッド形状物の製造方法であることを要旨としている。
【００１３】
本願の発明では、前記補強材は、管状を呈し、外径が前記軸穴の内径とほぼ一致であり、長さが前記軸穴よりも短く、前記軸穴と同軸であるように前記軸穴の内部に設置されることを特徴とする請求項８に記載の中心軸穴持ち木質ロッド形状物の製造方法であることを要旨としている。
【００１４】
本願の発明では、前記補強材は複合材料で作製された管体であることを特徴とする請求項９に記載の中心軸穴持ち木質ロッド形状物の製造方法であることを要旨としている。
【発明の効果】
【００１５】
本発明の中心軸穴持ち木質ロッド形状物の製造方法によれば、中心軸穴持ち木質ロッド形状物を大量生産可能であり、且つ製品の品質の安定性が極めて高いという効果を有する。
【発明を実施するための最良の形態】
【００１６】
以下、添付図面を参照して本発明の好適な実施の形態を詳細に説明する。
【００１７】
図１は、本発明の実施例１の加工プロセスを示す概略図である。
【００１８】
図２は、本発明の実施例２の加工プロセスを示す概略図である。
【００１９】
まず、図１を参照する。本発明の実施例１の中心軸穴持ち木質ロッド形状物の製造方法は、所定の長さと、所定の最小直径とを持つ木質素材１０を用意するステップａと、前記木質素材１０の長辺方向の一端から他端まで貫通し所定直径を持つ軸穴２０を開設するステップｂと、長さが前記軸穴２０よりも小さくて管状の複合材料で作製された補強材３０を用意して、前記補強材３０の両端がそれぞれ前記軸穴２０の両端の開口から適切な距離で後退するように、前記軸穴２０の内部に前記補強材３０を同軸状に設置するステップｃと、前記軸穴２０の中心軸を回転中心として前記木質素材１０を回転させて、前記木質素材１０の周面をビリヤード用シャフトの前段（shaft）のテーパ形状に加工するステップｄとを含む。
【００２０】
ここで、特に強調したいのは、本実施例の製造方法は、前記軸穴２０の中心軸を中心として加工する製造プロセスであり、ステップｂで開設された軸穴２０の中心軸ｙがステップａで用意した素材１０の素材曲率中心軸ｘ1と同軸ではなく、又は素材１０の素材曲率中心軸ｘ1から許容範囲以内でずれても、ステップｄを施すことにより、軸穴２０の軸穴中心軸ｙと、加工された木質ロッド形状物曲率中心軸ｘ2とを許容誤差範囲以内にすることができる。このように、簡易な方法により、内部に補強構造を持つ木質ロッド形状物（スポーツ用品など）を作製することができる。
【００２１】
また、さらに追申したいのは下記にある。
ステップａにおいて用意された木質素材１０の最小直径はステップｄにより加工されたロッド形状物１１の最大直径よりも大きいことが望ましい。そうしないと、木質素材１０の周面に別の材料を付けて希望の形状に加工することが必要となるが、木質素材１０の周面から素材を除く方法と、木質素材１０の周面に素材を付ける方法とは、製品の作製に対して同じ効果を有する。また、ステップｄの加工を適用可能なものとしては、ビリヤード用シャフトの前段（shaft）を除くビリヤード用シャフトの後段（butt）、野球用バットや他のロッド形状を呈するスポーツ用品の全部または一部がある。
【００２２】
本発明の実施例は複合材料で作製された管体を補強材３０として使用するが、本発明はこれに限定されず、補強材は、木質ロッド形状物の用途を見て適当に変更することができる。強度を強化する目的で使用する補強材は高剛性なものが良いが、弾性的な補強が必要な場合には、軸穴の内部に発泡材料を注入しても良く、すなわち、本発明の補強材３０は、用途に合えば、高剛性なものでもいいし、弾性を持つものでもいいし、他の物性を持つものでもいい。
【図面の簡単な説明】
【００２３】
【図１】本発明の実施例１の加工プロセスを示す概略図である。
【図２】本発明の実施例２の加工プロセスを示す概略図である。
【符号の説明】
【００２４】
１０、１０’：  木質素材、１１、１１’：木質ロッド形状物、２０、２０’：軸穴、３０、３０’：管状複合材料補強材、ｘ1：素材曲率中心軸、ｘ2：木質ロッド形状物曲率中心軸、ｙ：軸穴中心軸
【図１】
2008012284.tif 000003
【図２】
2008012284.tif 000004